(57)【要約】【課題】オンラインによらずＰＯＳレジスタから他のＰＯＳレジスタへの売上データの登録を容易に且つ正確に行う。【解決手段】ＣＰＵ１１は、ＲＡＭ１３に記憶されている１日分の会計情報を読み出す。次に、ＣＰＵ１１は、読み出した会計情報について、特売対象である商品に係る会計情報については、一取引の特売ごとに会計情報を記憶し、非特売の通常販売対象である商品に係る会計情報については、商品コードごとに会計情報を集計し記憶する。次に、ＣＰＵ１１は、商品コードごとの会計情報の集計結果と、一取引の特売ごとの会計情報の記憶結果とを区別して記載した集計レポートを印字部１９から出力させる。【選択図】図３
2010211280.tif 000002
【特許請求の範囲】
【請求項１】
通常販売価格で精算処理するための第１の精算条件と、特別販売価格で精算処理するための第２の精算条件とのうちいずれかの精算条件を適用して商品の精算処理を行うレジスタ端末装置において、
所定期間分の商品の精算処理に基づく精算における、前記第１の精算条件が適用されて精算処理された実績を記憶する第１の記憶手段と、
前記第２の精算条件が適用されて精算処理された実績を記憶する第２の記憶手段と、
前記第１及び第２の記憶手段にそれぞれ記憶された実績を区別して印字する印字手段と、
を備えたことを特徴とするレジスタ端末装置。
【請求項２】
前記第２の記憶手段は、顧客の取引ごとに実績を記憶することを特徴とした請求項１記載のレジスタ端末装置。
【請求項３】
前記印字手段は、前記第１及び第２の記憶手段に記憶された実績それぞれの操作方法に関する情報を、前記第１及び第２の精算条件の実績それぞれに対応させて印字することを特徴とした請求項２記載のレジスタ端末装置。
【請求項４】
商品の精算処理を行うレジスタ端末装置において、
特別販売価格で精算処理するための一又は複数の精算条件を記憶する精算条件記憶手段と、
前記記憶された精算条件ごとに、商品の商品コードと、その商品の通常販売価格からの割引率又は値引額とを抽出する抽出手段と、
前記抽出された情報を精算条件ごとに印字する印字手段と、
を備えたことを特徴とするレジスタ端末装置。
【請求項５】
前記印字手段は、前記抽出手段により抽出された情報の操作方法に関する情報を、前記抽出された情報に対応させて印字することを特徴とした請求項４記載のレジスタ端末装置。
【請求項６】
第１のレジスタ端末装置の、所定期間分の商品の精算処理に基づく精算実績を、第２のレジスタ端末装置に登録するレジスタ端末システムにおいて、
前記第１のレジスタ端末装置は、
前記精算実績における、通常販売価格で精算処理するための第１の精算条件が適用されて精算処理された実績を商品の商品コードごとに記憶する第１の記憶手段と、
特別販売価格で精算処理するための第２の精算条件が適用されて精算処理された実績を顧客の取引ごとに記憶する第２の記憶手段と、
前記第１及び第２の記憶手段に記憶された実績を区別して印字する印字手段と、
を備え、
前記第２のレジスタ端末装置は、
前記第１及び第２の精算条件を記憶する精算条件記憶手段と、
操作入力手段と、
前記印字手段により印字された前記第１及び第２の記憶手段に記憶された実績を読取る読取手段と、
前記読取られた前記第１及び第２の記憶手段に記憶された実績と、前記操作入力手段からの入力値と前記記憶された第１及び第２の精算条件とに基づいて、前記精算実績を生成して登録する登録手段と、
を備えたことを特徴とするレジスタ端末システム。
【発明の詳細な説明】
【技術分野】
【０００１】
本発明は、特売条件が設定されるレジスタ端末装置の精算実績の集計及び特売条件の設定の技術に関する。
【背景技術】
【０００２】
通常、スーパーマーケット等の店舗で用いられる会計処理のためのＰＯＳ（Ｐｏｉｎｔ  ｏｆ  Ｓａｌｅｓ）レジスタは、店舗又は店舗チェーンが運用するＰＯＳシステムにネットワーク接続されることが多い。このＰＯＳシステムは、商品情報、特売情報、販売実績等を管理するためのシステムであり、ストアコンピュータが接続されている。また、そのような店舗では、店頭の広場や特設催事場（以下、特設会場と称す。）にて朝市や地方物産展等を開き、商品販売が行われることがある。しかし、屋外の特設会場等にはネットワーク接続環境が整備されていない、又は整備することが困難なことが多く、そのような場所にＰＯＳレジスタを設置する場合は、ＰＯＳシステムへの接続ができず独立稼動させることとなる。
【０００３】
ところで、店舗においては、例えば一日の売上実績をＰＯＳシステムに計上することが行われる。従来、上記のように独立稼動させたＰＯＳレジスタを用いた場合は、そのＰＯＳレジスタでのその日の売上実績を、ＰＯＳシステムに接続された別のＰＯＳレジスタを利用して登録していた。具体的には、独立稼動させたＰＯＳレジスタから一日の売上実績が記録されたジャーナルを印字出力させ、そして、店員によるジャーナルの目視読取りと、ＰＯＳシステムに接続されたＰＯＳレジスタのキー入力操作とによる登録を行なっていた。この登録方法は、店員のキー操作を伴うため作業が煩雑であり、また読取り間違いやキー操作間違いが発生するおそれもあって正確さを欠くという問題があった。
【０００４】
一方、レジスタの売上データを情報処理装置に登録する作業を、効率的且つ正確に行うことを目的として、レジスタに、売上データをバーコード形式で印字出力させ、情報処理装置に、印字されたバーコードをバーコードスキャナで読み取らせて売上データを登録する売上げデータ処理システムが知られている（例えば、特許文献１参照）。この売上げデータ処理システムにおけるレジスタと情報処理装置とを、前述の独立稼動するＰＯＳレジスタと、ＰＯＳシステムに接続されたＰＯＳレジスタとに適用し、集計レポートの内容をバーコード化するようにすれば、店員の煩雑な作業が軽減されるとともに、人的作業に起因する間違いのおそれも少なくなり正確性が高くなることが期待できる。
【先行技術文献】
【特許文献】
【０００５】
【特許文献１】特開平８−２３５４４８号公報
【発明の概要】
【発明が解決しようとする課題】
【０００６】
しかしながら、ＰＯＳレジスタには種々の特売条件（例えば、詳しくは後述するミックスマッチ、バンドル、セットマッチ等）が設定（特売設定）されることが多い。この特売条件とは、買上商品の組合わせや買上個数によって一定割引や一定値引をする特別販売のための条件のことをいう。特許文献１記載のレジスタと情報処理装置とを、前述の独立稼動するＰＯＳレジスタと、ＰＯＳシステムに接続されたＰＯＳレジスタとに適用して売上計上を行った場合、特売設定がされたＰＯＳレジスタに、売上計上のために、商品コードと買上個数との情報が含まれたバーコードを読み込ませたときに、その読み込まれたデータに対してさらに特売設定がされてしまい、正しい金額の売上計上ができないという問題があった。特に、印字されたバーコードを読み込ませる順番により、特売設定がされたりされなかったりする場合が発生し得るため信頼性が保てない。
【０００７】
また、特売設定は、ＰＯＳシステムのストアコンピュータの制御によってネットワーク接続されたＰＯＳレジスタに対して行われることが通常であるため、独立稼動するＰＯＳレジスタに対してはこのオンラインによる設定が行えない。しかし、独立稼動するＰＯＳレジスタに対しても特売設定をしたい場合がある。例えば、店舗が定めた期間中、特設会場に設置して使用される独立稼動のＰＯＳレジスタについて、その期間中に新たな商品を追加して特売することになった場合や、特売セール期間中に特売条件が変わった場合等である。このような場合において、従来は、独立稼動するＰＯＳレジスタに対して複雑な特売条件の設定を手入力で行っており、特売設定を容易に且つ正確に行うことができなかった。
【０００８】
そこで本発明は、上記問題に鑑みてなされたものであり、その第一の目的として、一方のレジスタ端末装置から他方のレジスタ端末装置への精算実績の登録を、容易に且つ正確に行うことができるレジスタ端末装置及びレジスタ端末システムを提供することを目的とする。また、本発明の第二の目的として、特売設定の設定対象であるレジスタ端末装置に対して特売設定を容易に且つ正確に行うことができるレジスタ端末装置を提供することを目的とする。
【課題を解決するための手段】
【０００９】
本発明は、上記の課題を解決するために、以下［１］−［６］の態様を提供するものである。
［１］通常販売価格で精算処理するための第１の精算条件と、特別販売価格で精算処理するための第２の精算条件とのうちいずれかの精算条件を適用して商品の精算処理を行うレジスタ端末装置において、所定期間分の商品の精算処理に基づく精算における、前記第１の精算条件が適用されて精算処理された実績を記憶する第１の記憶手段と、前記第２の精算条件が適用されて精算処理された実績を記憶する第２の記憶手段と、前記第１及び第２の記憶手段にそれぞれ記憶された実績を区別して印字する印字手段と、を備えたことを特徴とするレジスタ端末装置。
本発明の第１の態様によれば、レジスタ端末装置からは、第１の精算実績と第２の精算実績とに区別して印字出力される。これにより、例えばＰＯＳシステムのネットワークに接続された別のレジスタ端末装置に売上計上をする際に、その印字内容に基づいて第１の精算実績と第２の精算実績とを区別して計上登録することができるため、オペレータに通常販売と特売販売とを明確に区別して作業させることができ、登録のミスを防ぐことができる。
【００１０】
［２］前記第２の記憶手段は、顧客の取引ごとに実績を記憶することを特徴とした上記［１］記載のレジスタ端末装置。
本発明の第２の態様によれば、レジスタ端末装置からは、第１の記憶手段に記憶された実績と、顧客の取引ごとに記憶された第２の記憶手段に記憶された実績とに区分して印字出力される。これにより、例えばＰＯＳシステムのネットワークに接続された他のレジスタ端末装置に売上計上をする際に、その印字内容に基づいて第１の精算条件の実績と、顧客の取引ごとの第２の精算条件の実績とを区別して計上登録することができる。例えば、商品の組み合わせにより発生した精算実績、商品の購入数により発生した精算実績等を分けて正しく計上することができるため、正確な売上結果の登録を行うことができる。
【００１１】
［３］前記印字手段は、前記第１及び第２の記憶手段に記憶された実績それぞれの操作方法に関する情報を、前記第１及び第２の精算条件の実績それぞれに対応させて印字することを特徴とした上記［２］記載のレジスタ端末装置。
本発明の第３の態様によれば、印字内容には、例えば通常販売、バンドル販売、セットマッチ販売、ミックマッチ販売等の販売形態に合わせた操作方法に関する情報が印字されるため、売上実績の登録作業において、オペレータは操作方法に関する情報をガイドとして作業を行うことができ、操作間違い等の人的ミスを防ぐことができる。
【００１２】
［４］商品の精算処理を行うレジスタ端末装置において、特別販売価格で精算処理するための一又は複数の精算条件を記憶する精算条件記憶手段と、前記記憶された精算条件ごとに、商品の商品コードと、その商品の通常販売価格からの割引率又は値引額とを抽出する抽出手段と、前記抽出された情報を精算条件ごとに印字する印字手段と、
を備えたことを特徴とするレジスタ端末装置。
本発明の第４の態様によれば、レジスタ端末装置からは、特売販売価格で精算処理するための一又は複数の精算条件ごとに、商品の商品コードと、その商品の通常販売価格からの割引率又は値引額とが印字出力される。これにより、別のレジスタ端末装置では、その印字内容を用いることで、従来のレジスタ端末が備えるスキャナ部とキー操作部とを用いて簡便に且つ正確に特売設定を行うことができる。
【００１３】
［５］前記印字手段は、前記抽出手段により抽出された情報の操作方法に関する情報を、前記抽出された情報に対応させて印字することを特徴とした上記［４］記載のレジスタ端末装置。
また、本発明の第５の態様によれば、例えば、通常販売、バンドル販売、セットマッチ販売、ミックマッチ販売等の販売形態に合わせた操作方法に関する情報が印字されるため、特売設定作業において、オペレータは操作指示情報をガイドとして作業を行うことができ、操作間違い等の人的ミスを防ぐことができる。
【００１４】
［６］第１のレジスタ端末装置の、所定期間分の商品の精算処理に基づく精算実績を、第２のレジスタ端末装置に登録するレジスタ端末システムにおいて、前記第１のレジスタ端末装置は、前記精算実績における、通常販売価格で精算処理するための第１の精算条件が適用されて精算処理された実績を商品の商品コードごとに記憶する第１の記憶手段と、特別販売価格で精算処理するための第２の精算条件が適用されて精算処理された実績を顧客の取引ごとに記憶する第２の記憶手段と、前記第１及び第２の記憶手段に記憶された実績を区別して印字する印字手段と、を備え、前記第２のレジスタ端末装置は、前記第１及び第２の精算条件を記憶する精算条件記憶手段と、操作入力手段と、前記印字手段により印字された前記第１及び第２の記憶手段に記憶された実績を読取る読取手段と、前記読取られた前記第１及び第２の記憶手段に記憶された実績と、前記操作入力手段からの入力値と前記記憶された第１及び第２の精算条件とに基づいて、前記精算実績を生成して登録する登録手段と、を備えたことを特徴とするレジスタ端末システム。
本発明の第６の態様によれば、第１のレジスタ端末装置からは、第１の精算条件の実績と、顧客の取引ごとに集計された第２の精算条件の実績とに区分して印字出力される。そして、第２のレジスタ端末装置では、その印字内容から第１及び第２の精算実績を読取って第１のレジスタ端末装置の精算実績が生成されて登録される。これにより、第１のレジスタ端末装置から出力された印字内容に基づいて、通常販売の第１の精算実績と、顧客の取引ごとの第２の精算実績とを区別して計上登録することができ、例えば、商品の組み合わせにより発生した精算実績、商品の購入数により発生した精算実績等を分けて正しく計上することができるため、正確な売上結果の登録を行うことができる。
【発明の効果】
【００１５】
本発明によれば、買上商品の組み合わせや買上個数によって単価が変わってしまう場合でも、一方のレジスタ端末装置から他方のレジスタ端末装置への精算実績の登録を、容易に且つ正確に行うことができる。また、特売設定の設定対象であるレジスタ端末装置に対して、特売設定を容易に且つ正確に行うことができる。
【図面の簡単な説明】
【００１６】
【図１】本発明の実施形態であるＰＯＳレジスタが適用されるＰＯＳシステムの概略構成を示したブロック図である。
【図２】ＰＯＳレジスタの概略の外観平面図である。
【図３】ＰＯＳレジスタの電気的なブロック構成図である。
【図４】商品情報ファイルのデータ構成例を示した図である。
【図５】特売情報ファイルのデータ構成例を示した図である。
【図６】ＰＯＳレジスタの会計処理を説明するためのフローチャートである。
【図７】ＰＯＳレジスタの売上データ出力処理を説明するためのフローチャートである。
【図８】集計レポートの印字例を示した図である。
【図９】ＰＯＳレジスタの特売設定伝票の出力処理を説明するためのフローチャートである。
【図１０】特売設定伝票の印字例を示した図である。
【発明を実施するための形態】
【００１７】
以下、本発明を実施するための形態について、図面を参照して詳細に説明する。図１に、本発明の実施形態であるＰＯＳレジスタ（レジスタ端末装置）が適用されるＰＯＳシステムの概略ブロック図を示す。同図に示すように、ＰＯＳシステム１は、ＬＡＮ（Ｌｏｃａｌ  Ａｒｅａ  Ｎｅｔｗｏｒｋ）５を介してそれぞれ接続された３台のＰＯＳレジスタ３及びストアコントローラ４と、ＬＡＮ５には接続されず独立稼動させるＰＯＳレジスタ２と、を含んで構成されている。
【００１８】
ＰＯＳレジスタ２と、３台のＰＯＳレジスタ３とのそれぞれは、顧客の買上商品の商品登録処理及び会計処理（精算処理）を行うためのキャッシュレジスタ端末装置であり、それぞれが同様の構成を有している。ストアコントローラ４は、店舗の販売実績の集計や会計処理等の事務処理が行われる情報処理装置であり、商品情報を記録した商品情報ファイルと、特売情報を記録した特売情報ファイルとを含む商品情報マスタが格納されている。ＬＡＮ５は、店舗内に敷設されたネットワークであり、外部のインターネットと接続されるようにもなっている。そして、ＰＯＳシステム１において、ＰＯＳレジスタ２は特設会場に設置され、ＰＯＳレジスタ３は店舗内のチェックアウトコーナに設置され、ストアコントローラ４は店舗のバックヤードに設置されている。
【００１９】
図２に、ＰＯＳレジスタ２，３の概略の外観平面図を示す。同図（ａ）は正面図であり、同図（ｂ）は側面図である。ＰＯＳレジスタ２，３は、タッチパネル付表示部１４と、キー操作部１５と、顧客用表示部１６と、自動釣銭機１７と、スキャナ部１８と、印字部１９と、通信部２０と、ドロア３０とを備えている。
【００２０】
タッチパネル付表示部１４は、会計処理モード、売上データ出力モード、売上データ入力モード、特売設定出力モード、及び特売設定入力モードの各モード切替の指示等の入力操作が可能なタッチパネル１４ａを備えた店員（オペレータ）用の表示装置である。キー操作部１５は、会計時において顧客から受け取った預金の金額の入力等を行うための数字キー、会計を締めるための締めキー等の操作キーが設けられたキーボードである。顧客用表示部１６は、顧客に対して買上商品の商品名や価格を通知するための表示装置である。自動釣銭機１７は、顧客に支払うべき釣銭のうち、少なくとも貨幣を釣銭排出口１７ａに排出するための釣銭機であり、顧客から預かった預金のうち少なくとも貨幣を投入するための預金投入口１７ｂを備えている。
【００２１】
スキャナ部１８は、会計処理モード時には、商品に付されたバーコードをスキャンして商品コードを読み取り、売上データ入力モード時には、後述する集計レポートに印刷されたバーコードをスキャンして商品コードを読み取り、特売設定入力モード時には、後述する特売設定伝票に印刷されたバーコードをスキャンして商品コードを読み取るためのバーコード読取装置である。印字部１９は、会計処理モード時には売上明細書をレシートとして印字出力し、売上データ出力モード時には集計レポートを印字出力し、特売設定出力モード時には特売設定伝票を印字出力するプリンタ装置である。ドロア３０は、紙幣及び貨幣を収納する収納部であり、キー操作部１５の操作に基づいて図２（ｂ）の矢印Ａの方向に引き出されるようになっている。
【００２２】
図３に、ＰＯＳレジスタ２，３の電気的なブロック構成図を示す。同図において、図２に示した構成に対応するブロックには同一の符号を付してその説明を省略する。ＣＰＵ（Ｃｅｎｔｒａｌ  Ｐｒｏｃｅｓｓｉｎｇ  Ｕｎｉｔ）１１は、図３に示したＣＰＵ１１以外の各部を制御するための制御部である。ＲＯＭ１２は、ＣＰＵ１１によって実行される制御プログラムやタッチパネル付表示部１４に表示させるＧＵＩ（Ｇｒａｐｈｉｃａｌ  Ｕｓｅｒ  Ｉｎｔｅｒｆａｃｅ）データ等を記憶する。ＲＡＭ１３は、ＣＰＵ１１によりＲＯＭ１２から読み出された制御プログラムやワークエリアが展開されるメモリである。また、ＲＡＭ１３には、商品情報ファイルの商品情報や特売情報ファイルの特売情報が展開される。通信部２０は、ストアコントローラ４と接続された場合に通信を行う。
【００２３】
図４に、ストアコントローラ４に商品情報マスタの一部として格納され、ＰＯＳレジスタ２，３において用いられる商品情報ファイルのデータ構成例を示す。同図において、商品情報ファイル４０の商品情報は、商品コード４０ａと、分類４０ｂと、商品名４０ｃと、生産／製造者名４０ｄと、単位４０ｅと、値段４０ｆとの項目（第１の精算条件）を有している。商品コード４０ａは、商品に付されるバーコードに記録された、商品を特定するための識別情報である。分類４０ｂは、商品を商品分野により分類するための分類コードである。例えば、店舗の調理コーナで調理した弁当類は「０１」、生鮮食料品類は「０２」、パン類は「０３」、シャンプーやリンス等の入浴商品類は「０４」等である。商品名４０ｃは、商品の名称であり顧客が認識可能な固有名称や一般名称が用いられる。生産／製造者名４０ｄは、商品の生産者又は製造者の名称である。単位４０ｅは、商品の取扱単位である。例えば、焼肉弁当を「１個」、たまごを「１パック」、ほうれん草を「１束」、手袋を「１ペア」等である。値段４０ｆは、商品の単位４０ｅあたりの販売価格である。
【００２４】
図５に、ストアコントローラ４に商品情報マスタの一部として格納され、ＰＯＳレジスタ２，３において用いられる特売情報ファイルのデータ構成例を示す。同図において、特売情報ファイル５０の特売情報は、第１商品コード５０ａと、第２商品コード５０ｂと、区分５０ｃと、分類５０ｄと、商品名５０ｅと、値段５０ｆと、対象数５０ｇと、特区５０ｈと、割引率５０ｉと、値引額５０ｊと、曜日５０ｋと、特売開始日時５０ｍと、特売終了日時５０ｎとの項目（第２の精算条件）を有している。なお、特売情報ファイル５０は、一つの２次元テーブルで表されるものであるが、同図においては、図面の制約により上下２段に分けて図示している。よって、特売情報ファイル５０は、２種類のファイルから構成されることを意味するものではない。
【００２５】
第１商品コード５０ａ及び第２商品コード５０ｂは、それぞれ、商品を特定するための識別情報である。通常は、第１商品コード５０ａの欄が使用されるが、後述するセットマッチ販売及びミックスマッチ販売のように２種類の商品を組み合わせる場合は、第２商品コード５０ｂの項目欄も併せて使用される。なお、組み合わせの種類は２種類に限られないが、本実施形態においては説明の便宜上、２種類の商品コードが記憶できるものとする。区分５０ｃは、特売の販売形態の区分を表す。例えば、通常特売は「０」、セットマッチ販売は「１」、ミックスマッチ販売は「２」、バンドル販売は「３」、曜日指定特売は「４」、タイムサービス販売は「５」である。特売の販売形態の詳細については後述する。
【００２６】
分類５０ｄは、商品を商品分野により分類するための分類コードである。商品名５０ｅは、商品の名称である。値段５０ｆは、商品の一商品あたりの販売価格である。対象数５０ｇは、特売の基本数量である。特区５０ｈは、割引又は値引を示すための特売区分であり、本実施形態では、割引を「０」、値引を「１」として区分する。割引率５０ｉは、商品の対象数５０ｇあたりの販売価格からの割引率を示し、特区５０ｈが「０」である場合に適用される。値引額５０ｊは、商品の対象数５０ｇあたりの販売価格からの値引額を示し、特区５０ｈが「１」である場合に適用される。曜日５０ｋは、特売を行う曜日を指定するものであり、設定しない場合は「０」、月曜日は「１」、火曜日は「２」、水曜日は「３」、木曜日は「４」、金曜日は「５」、土曜日は「６」、日曜日は「７」で示される。特売開始日時５０ｍ及び特売終了日時５０ｎは、特売を開始する年月日分秒と終了する年月日分秒とを示す。
【００２７】
ここで、区分５０ｃで区分される特売の販売形態について具体的に説明する。「通常特売」は、一商品単独で、通常販売価格（値段４０ｆ）から所定の割引率又は所定の値引額で販売価格を下げて（言い換えれば、特売価格を適用して）販売する形態である。「セットマッチ販売」は、関連する商品を規定数分組合わせて特売価格を適用する形態である。例えば、それぞれ単価が５９６円のシャンプーとリンスとを１個ずつ購入する場合に、値引額１９６円を適用してセットマッチ価格を（５９６円×２個−１９６円）＝９９６円にとする販売である。
【００２８】
「ミックスマッチ販売」は、同一分類の異なる商品（例えば、分類４０ｂが同一である別商品）を規定数分組合わせて特売価格を適用する形態である。例えば、手袋とマフラーとを２個ずつ購入すると単価が３６００円となる場合に、値引額７２０円を適用してミックスマッチ価格を（３６００円×４個−７２０円）＝１３６８０円とする販売である。「バンドル販売」は、ミックスマッチ販売の類似形態であり、規定数分の同一商品に対して特売価格を適用する形態である。例えば、単価が１２０円のアンパンを４個購入する場合に、３０％の割引率、すなわち１４４円の値下によりバンドル価格を３３６円とする販売である。「曜日指定特売」は、特定曜日の販売において特売価格を適用する形態である。「タイムサービス販売」は、特定時間帯の販売において特売価格を適用する形態である。
【００２９】
よって、図５に示した特売情報ファイル５０において、商品名５０ｅ：焼肉弁当の商品は、区分５０ｃ：０すなわち「通常特売」の商品であり、特区５０ｈ：０すなわち「割引」が適用されるため、（値段５０ｆ：５５０円×対象数５０ｇ：１個）の割引率５０ｉ：２０％＝値引額５０ｊ：１１０円が値下額となることを示している。また、商品名５０ｅ：たまごの商品は、区分５０ｃ：３すなわち「バンドル販売」の商品であり、特区５０ｈ：１すなわち「値引」が適用されるため、（値段５０ｆ：１９８円×対象数５０ｇ：２パック）の値引額５０ｊ：７０円が値下額となることを示している。
【００３０】
また、商品名５０ｅ：シャンプー＆リンスの２つの商品は、区分５０ｃ：１すなわち「セットマッチ販売」の商品であり、特区５０ｈ：１すなわち「値引」が適用されるため、（値段５０ｆ：５９６円×対象数５０ｇ：各１）の値引額５０ｊ：１９６円が値下額となることを示している。さらに、商品名５０ｅ：手袋＆マフラーの２つの商品は、区分５０ｃ：２すなわち「ミックスマッチ販売」の商品であり、特区５０ｈ：１すなわち「値引」が適用されるため、（値段５０ｆ：３６００円×対象数５０ｇ：各２）の値引額５０ｊ：７２０円が値下額となることを示している。
【００３１】
［会計処理モードの説明］
次に、ＰＯＳレジスタ２，３それぞれの会計処理について、図６のフローチャートを参照して説明する。ＰＯＳレジスタ２，３それぞれの会計処理では、顧客の購入商品に付されたバーコードをスキャナ部１８で読取らせると、スキャナ部１８はバーコードに記録された商品コードを読取ってＣＰＵ１１に通知する（Ｓ６０１）。次に、ＣＰＵ１１は、ＲＡＭ１３に展開された商品情報ファイル４０を参照して、スキャナ部１８から通知された商品コードに対応する商品情報を抽出してＲＡＭ１３のワークエリアに記憶させる（Ｓ６０２）。次に、ＣＰＵ１１は、ＲＡＭ１３に展開された特売情報ファイル５０を参照して、商品コードに対応する特売情報があればこれを抽出してワークエリアに記憶させる（Ｓ６０３）。
【００３２】
次に、ＣＰＵ１１は、抽出された商品情報をタッチパネル付表示部１４及び顧客用表示部１６に表示させるとともに、特売情報が抽出された場合には、当該商品が特売対象であることを示す情報をタッチパネル付表示部１４及び顧客用表示部１６に表示させる（Ｓ６０４）。次に、ＣＰＵ１１は、キー操作部１５からのキー入力、又はスキャナ部１８によるスキャンを受付ける（Ｓ６０５）。スキャナ部１８が新たなバーコードのスキャンを行った場合は、ＣＰＵ１１は、前回の商品の買上個数を１個としてワークエリアに記憶してステップＳ６０１の処理に移行する（Ｓ６０５  スキャン）。一方、キー操作部１５によって数字キーが入力された場合（Ｓ６０５  キー）、ＣＰＵ１１は、当該商品の買上個数をワークエリアに記憶する（Ｓ６０６）。
【００３３】
次に、ＣＰＵ１１は、キー操作部１５からのキー入力を受付け、小計キーが押下された場合はステップＳ６０８の処理に移行し（Ｓ６０７  ＹＥＳ）、小計キー以外の所定キーが押された場合は、ステップＳ６２０の処理に移行する（Ｓ６０７  ＮＯ）。ステップＳ６０７の処理において、ＣＰＵ１１が小計キーが押下されたと判定した場合（Ｓ６０７  ＹＥＳ）は、ＣＰＵ１１は、ワークエリアに記憶された商品の買上合計金額及び買上数量を計算してタッチパネル付表示部１４及び顧客用表示部１６に表示させる（Ｓ６０８）。次に、顧客から預かった預金の金額がキー操作部１５により入力されると、ＣＰＵ１１は、この預金金額をワークエリアに記憶する（Ｓ６０９）。
【００３４】
次に、ＣＰＵ１１は、キー操作部１５からのキー入力を受付け、現計キーが押下された場合はステップＳ６１１の処理に移行し（Ｓ６１０  ＹＥＳ）、現計キー以外の所定キーが押された場合は、ステップＳ６２０の処理に移行する（Ｓ６１０  ＮＯ）。ステップＳ６１０の処理において、ＣＰＵ１１が、現計キーが押下されたと判定した場合（Ｓ６１０  ＹＥＳ）は、ＣＰＵ１１は、ワークエリアに記憶された買上合計金額及び預金金額から釣銭金額を計算してワークエリアに記憶する（Ｓ６１１）。釣銭がある場合（釣銭金額が０円でない場合）は、ＣＰＵ１１は、釣銭金額を自動釣銭機１７及びドロア３０に通知する。そして、自動釣銭機１７は、ドロア３０から釣銭金額分の金銭を取り出して釣銭排出口１７ａに排出する。また、ドロア３０は引出しを開放にする（Ｓ６１３）。
【００３５】
ステップＳ６１３の処理により釣銭の排出が完了した場合、またはステップＳ６１２の処理において釣銭がない場合（Ｓ６１２  ＮＯ）は、ＣＰＵ１１は、ワークエリアに記憶された会計情報を買上明細書（レシート）に印字して出力する（Ｓ６１４）。
【００３６】
また、ＣＰＵ１１が、ステップＳ６０７の処理において小計キー以外の所定キーが押されたと判定した場合（Ｓ６０７  ＮＯ）、およびステップＳ６１０の処理において現計キー以外の所定キーが押されたと判定した場合（Ｓ６１０  ＮＯ）は、ＣＰＵ１１は、押下されたキーが登録の追加を促すためのキーであるか、訂正処理を行うためのキーであるかを判定し、押下されたキーが登録の追加を促すためのキーであった場合（Ｓ６２０  追加）は、ステップＳ６０１の処理に移行する。一方、訂正処理を行うためのキーであった場合（Ｓ６２０  訂正）は、ステップＳ６２１の処理に移行する（Ｓ６２０）。ステップＳ６２０の処理において、ＣＰＵ１１が、押下されたキーが訂正処理を行うためのキーであると判定した場合（Ｓ６２０  訂正）、ＣＰＵ１１は、オペレータのキー操作部１５又はタッチパネル１４ａの操作に基づいてワークエリアに記憶されている会計情報を、訂正データで更新し（Ｓ６２１）、ステップＳ６０２の処理に移行する。
【００３７】
［売上データ出力モードの説明］
次に、ＰＯＳレジスタ２の売上データ出力処理について、図７のフローチャートを参照して説明する。ＰＯＳレジスタ２の売上データ出力処理では、ＣＰＵ１１は、ＲＡＭ１３のワークエリアに記憶されている所定期間分の会計情報（精算実績）を読み出す（Ｓ７０１）。例えば、１日分の売上データについて処理する場合は、ワークエリアに記憶されている１日分の会計情報を読み出す。次に、ＣＰＵ１１は、読み出した会計情報について、特売対象である商品に係る会計情報については、一取引の特売ごとに会計情報を記憶し（Ｓ７０２  ＹＥＳ→Ｓ７０３）、非特売の通常販売対象である商品に係る会計情報については、商品コードごとに会計情報を集計する（Ｓ７０２  ＮＯ→Ｓ７０４）。次に、ＣＰＵ１１は、商品コードごとの会計情報の集計結果（第１の精算実績）と、一取引の特売ごとの会計情報の記憶結果（第２の精算実績）とを区別して記載した集計レポートを印字部１９から出力させる（Ｓ７０５）。
【００３８】
図８に、ＰＯＳレジスタ２が出力する集計レポートの印字例を示す。同図において、集計レポート８０は、タイトル欄８１と、通常販売集計結果欄８２と、特売集計結果欄８３とを含んで構成されている。そして、通常販売集計結果欄８２と特売集計結果欄８３とは区切線８４で区切られ、集計レポートの確認者にとって区別し易いようになっている。タイトル欄８１は、この印字紙が「集計レポート」であることを示すタイトルと、印字出力を行ったときの日時情報とを含んでいる。通常販売集計結果欄８２は、通常販売された商品の販売実績の集計欄であり、通常販売された商品を対象として、商品コードごとに、その商品コードと、バーコードと、売上個数とが対応付けられて記載される。そして、通常販売集計結果欄８２の下方には、通常販売集計結果欄８２の操作方法である操作指示情報（操作方法に関する情報）が記載される。
【００３９】
特売集計結果欄８３は、特売された商品の取引ごとの販売実績の集計欄であり、バンドル販売、セットマッチ販売、ミックスマッチ販売等の特売の取引ごとに区分されて記載される。例えば、特売集計結果欄８３ａ，８３ｂには、それぞれバンドル販売対象商品の商品コードと、バーコードと、バンドル数と、これらの情報の操作方法である操作指示情報とが対応付けられて記載される。また、特売集計結果欄８３ｃには、セットマッチ販売対象商品の商品コードと、バーコードと、これらの情報の操作方法である操作指示情報とが対応付けられて記載される。さらに、特売集計結果欄８３ｄには、ミックスマッチ販売対象商品の商品コードと、バーコードと、商品ごとの規定個数と、これらの情報の操作方法である操作指示情報とが対応付けられて記載される。
【００４０】
［売上データ入力モードの説明］
ＰＯＳシステム１のＬＡＮ５に接続されたＰＯＳレジスタ３は、独立稼動するＰＯＳレジスタ２から出力された集計レポート８０を用いて、ＰＯＳレジスタ２の集計データを登録することができる。ＰＯＳレジスタ３のオペレータによる作業は、集計レポート８０に記載された操作指示情報の内容に沿って行われるものである。まず、通常販売集計結果欄８２に記載された通常販売の集計結果は、スキャナ部１８を用いてバーコードをスキャンさせて商品コードを読取らせ、キー操作部１５を用いて個数を入力させることにより、ＰＯＳレジスタ３のＲＡＭ１３に登録する。
【００４１】
また、集計レポート８０の特売集計結果欄８３に記載された特売の集計結果も、同様の操作によってＰＯＳレジスタ３に登録することができる。具体的には、特売集計結果欄８３ａに記載されたバンドル販売の集計結果は、スキャナ部１８を用いてバーコードをスキャンさせて商品コードを読み取らせ、キー操作部１５を用いて個数を入力させることにより、ＰＯＳレジスタ３のＲＡＭ１３に記憶された商品情報ファイル４０及び特売情報ファイル５０に基づいてバンドル販売価格での売上金額が計上される。また、特売集計結果欄８３ｃに記載されたセットマッチ販売の集計結果は、スキャナ部１８を用いて各バーコードをスキャンさせて各商品コードを読み取らせ、キー操作部１５の現計キーを押下させることにより、ＲＡＭ１３に記憶された商品情報ファイル４０及び特売情報ファイル５０に基づいてセットマッチ販売価格での売上金額が計上される。さらに、特売集計結果欄８３ｄに記載されたミックスマッチ販売の集計結果は、スキャナ部１８を用いてバーコードをスキャンさせて各商品コードを読み取らせるたびに、キー操作部１５を用いて個数を入力させ、すべての入力が済んだところで現計キーを押下させることにより、ＲＡＭ１３に記憶された商品情報ファイル４０及び特売情報ファイル５０に基づいてミックスマッチ販売価格での売上金額が計上される。
【００４２】
以上により、集計レポート８０を用いるようにすれば、従来の一般的なＰＯＳレジスタ３が備えるスキャナ部１８とキー操作部１５とを併せ用いて操作することにより、特定のＰＯＳレジスタに限定されることなく正しい売上計上を容易に行うことができる。
【００４３】
［特売設定出力モードの説明］
次に、ＰＯＳレジスタ３の特売設定伝票の出力処理について、図９のフローチャートを参照して説明する。ＰＯＳレジスタ３の特売設定伝票の出力処理では、ＣＰＵ１１は、ＲＡＭ１３に記憶された特売情報ファイル５０から１行分の特売情報を読み出す（Ｓ９０１）。次に、ＣＰＵ１１は、読み出した特売情報から、区分５０ｃに応じた特売設定データをＲＡＭ１３のワークエリアに展開する（Ｓ９０２）。これら読出し処理とワークエリアへの展開処理とを特売情報ファイル５０の全ての特売情報について実行する（Ｓ９０３）。次に、ＣＰＵ１１は、印字部１９に、ワークエリアに展開された特売設定データを印字させて特売設定伝票を出力する（Ｓ９０５）。
【００４４】
図１０に、特売設定データに基づき印字された特売設定伝票の印字例を示す。同図において、特売設定伝票１００は、タイトル欄１０１と、通常特売設定欄１０２と、非通常特売設定欄１０３とを含んで構成されている。そして、通常特売設定欄１０２と非通常特売設定欄１０３とは区切線１０４で区切られ、特売設定伝票の確認者にとって区別し易いようになっている。タイトル欄１０１は、この印字紙が「特売設定伝票」であることを示すタイトルと、印字出力を行ったときの日時情報とを含んでいる。通常特売設定欄１０２は、通常特売として販売されるべき商品の特売設定の記載欄であり、通常特売として販売されるべき商品を対象として、商品コードごとに、その商品コードと、バーコードと、割引率又は値引額とが対応付けられて記載される。そして、通常特売設定欄１０２の下方には、通常特売設定欄１０２の操作方法である操作指示情報が記載される。
【００４５】
非通常特売設定欄１０３は、非通常特売の形態で販売されるべき商品の取引ごとの特売設定の記載欄であり、バンドル販売、セットマッチ販売、ミックスマッチ販売等の特売の取引ごとに区分けされて記載される。例えば、非通常特売設定欄１０３ａ，１０３ｂには、それぞれバンドル販売対象商品の商品コードと、バーコードと、バンドル数と、この取引における割引率又は値引額と、これらの情報の操作方法である操作指示情報とが対応付けられて記載される。また、非通常特売設定欄１０３ｃには、セットマッチ販売対象商品の商品コードと、バーコードと、この取引における割引率又は値引額と、これらの情報の操作方法である操作指示情報とが対応付けられて記載される。さらに、非通常特売設定欄１０３ｄには、ミックスマッチ販売対象商品の商品コードと、バーコードと、商品ごとの規定個数と、この取引における割引率又は値引額と、これらの情報の操作方法である操作指示情報とが対応付けられて記載される。
【００４６】
［特売設定入力モードの説明］
独立稼動するＰＯＳレジスタ２は、ＰＯＳシステム１のＬＡＮ５に接続された特売設定済みのＰＯＳレジスタ３から出力された特売設定伝票１００を用いて、特売設定の登録を行うことができる。ＰＯＳレジスタ２のオペレータによる作業は、特売設定伝票１００に記載された操作指示情報の内容に沿って行われるものである。まず、通常特売設定欄１０２に記載された通常特売の設定情報は、ＰＯＳレジスタ２の特売設定画面で、スキャナ部１８を用いてバーコードをスキャンさせて商品コードを読取らせ、キー操作部１５を用いて割引率又は値引額を入力させることにより、ＰＯＳレジスタ２のＲＡＭ１３に記憶された特売情報ファイル５０を更新登録する。
【００４７】
また、非通常特売設定欄１０３に記載された設定情報も、同様の操作によりＰＯＳレジスタ２に登録することができる。具体的には、非通常特売設定欄１０３ａに記載されたバンドル販売の設定情報は、ＰＯＳレジスタ２の特売設定画面で、スキャナ部１８を用いてバーコードをスキャンさせて商品コードを読み取らせ、キー操作部１５を用いて個数を入力させ、さらに割引率又は値引額を入力させることにより、ＰＯＳレジスタ２のＲＡＭ１３に記憶された特売情報ファイル５０を更新登録する。また、非通常特売設定欄１０３ｃに記載されたセットマッチ販売の設定情報は、スキャナ部１８を用いて各バーコードをスキャンさせて各商品コードを読み取らせ、キー操作部１５を用いて割引率又は値引額を入力させることにより、ＰＯＳレジスタ２のＲＡＭ１３に記憶された特売情報ファイル５０を更新登録する。さらに、非通常特売設定欄１０３ｄに記載されたミックスマッチ販売の設定情報は、スキャナ部１８を用いてバーコードをスキャンさせて各商品コードを読み取らせるたびに、キー操作部１５を用いて個数を入力させ、すべての入力が済んだところでキー操作部１５を用いて割引率又は値引額を入力させることにより、ＰＯＳレジスタ２に記憶された特売情報ファイル５０を更新登録する。
【００４８】
以上説明したとおり、本実施形態によれば、商品情報マスタを格納したストアコントローラから切り離されて独立稼動するＰＯＳレジスタからは、通常販売集計結果欄と、特売集計結果欄とに区分して記載された集計レポートが出力される。これにより、ＰＯＳシステムのネットワークに接続されたＰＯＳレジスタに売上計上をする際に、その集計レポートに基づいて通常販売の集計結果と、特売集計結果とを区別して計上登録することができるため、オペレータは通常販売と特売販売とを明確に区別して作業することができる。また、商品コードの登録は、従来のＰＯＳレジスタが備えているバーコードリーダを用いたバーコードの読み取りにより行うため、煩雑な作業を伴うことがない。
【００４９】
とくに、本実施形態によれば、独立稼動するＰＯＳレジスタからは、通常販売集計結果欄と、顧客の取引ごとにまとめられた特売集計結果欄とに区分して記載された集計レポートが出力される。これにより、ＰＯＳシステムのネットワークに接続されたＰＯＳレジスタに売上計上をする際に、その集計レポートに基づいて通常販売の集計結果と、顧客の取引ごとの特売集計結果とを区別して計上登録することができ、例えば、商品の組み合わせにより発生した精算実績、商品の購入数により発生した精算実績等を分けて正しく計上することができるため、正確な売上結果の登録を行うことができる。
【００５０】
また、本実施形態によれば、集計レポートには、通常販売、バンドル販売、セットマッチ販売、ミックマッチ販売等の販売形態に合わせた操作指示情報が印字されるため、売上実績の登録作業において、オペレータは操作指示情報をガイドとして作業を行うことができ、操作間違い等の人的ミスを防ぐことができる。
【００５１】
また、本実施形態によれば、ＰＯＳシステムのネットワークに接続されたＰＯＳレジスタからは、通常特売設定欄と、非通常特売設定欄とに区分された特売設定伝票が出力される。これにより、ＰＯＳレジスタは、ＰＯＳシステムのネットワークに接続されてなくても、スキャナ部とキー操作部とを用いて簡便に且つ正確に特売設定を行うことができる。
【００５２】
また、本実施形態によれば、特売設定伝票には、通常販売、バンドル販売、セットマッチ販売、ミックマッチ販売等の販売形態に合わせた操作指示情報が特売設定済みの店内ＰＯＳレジスタから印字されるため、特売設定作業において、オペレータは操作指示情報をガイドとして作業を行うことができ、操作間違い等の人的ミスを防ぐことができる。
【００５３】
なお、本実施形態では、第１及び第２の精算条件の実績を分けて、バーコードを含めて集計レポートを印字出力する例を示したが、これに限らず、ＰＯＳレジスタが、２次元コード（ＱＲコード）を読取ることが可能なスキャナと、２次元コードを印字することが可能なプリンタとを備えている場合には、第１及び第２の精算条件の実績を分けて、２次元コードで集計レポートを印字出力するようにしてもよい。
【００５４】
また、本実施形態では、第２の精算条件の実績を顧客の取引ごとに記憶させ、第１の精算条件の実績と区別して印字出力する例を示したが、これに限らず、第２の精算条件の実績を、同一の精算条件による取引件数を集計して、顧客の取引ごとの実績とその同一精算条件の件数とを集計レポートに印字するようにしてもよい。具体的には、セットマッチ特売及びミックスマッチ特売の場合は、組み合わせにより特売となるそれぞれのバーコード（商品コード）と、その取引件数を印字出力する。また、バンドル特売の場合は、特売価格を適用する商品のバーコード（商品コード）と、特売が成立する個数と、その取引件数とを印字出力する。これにより、集計レポートの印字長を短くして取り扱い易くするとともに、印字に係る消耗品を節約することができる。
【００５５】
以上、本発明の実施形態について図面を参照して詳述したが、具体的な構成はこの実施形態に限られるものではなく、この発明の要旨を逸脱しない範囲の設計等も含まれる。
【符号の説明】
【００５６】
１  ＰＯＳシステム
２，３  ＰＯＳレジスタ
４  ストアコントローラ
５  ＬＡＮ
１１  ＣＰＵ
１２  ＲＯＭ
１３  ＲＡＭ
１４  タッチパネル付表示部
１４ａ  タッチパネル
１５  キー操作部
１６  顧客用表示部
１７  自動釣銭機
１７ａ  釣銭排出口
１７ｂ  預金投入口
１８  スキャナ部
１９  印字部
２０  通信部
３０  ドロア
【図１】
2010211280.tif 000003
【図２】
2010211280.tif 000004
【図３】
2010211280.tif 000005
【図４】
2010211280.tif 000006
【図５】
2010211280.tif 000007
【図６】
2010211280.tif 000008
【図７】
2010211280.tif 000009
【図８】
2010211280.tif 000010
【図９】
2010211280.tif 000011
【図１０】
2010211280.tif 000012